(57)【要約】      （修正有）【課題】銃弾の発射可能な遊戯用エアーガンや、発射機構を持たないモデルガンに取付けて、赤外線光を発光する赤外線銃に変更して遊戯が行える赤外線発射装置を提供する。【解決手段】撃鉄が銃を叩いた瞬間に発生する振動を検知する振動センサ５と、該振動センサの感知した振動値が予め設定した撃鉄が銃を叩いた瞬間に発生する振動値であるか否かを判定する制御基板５１と、該制御基板からの発射信号により赤外線を発光する発光ダイオード等の赤外線発光体２２と、該赤外線発光体よりの赤外線を標的に対して集光するレンズ２３ｂ，２３ｄと、前記振動センサと赤外線発光体とを駆動するバッテリー２１を筐体３に収容し、該筐体３をエアーガンやモデルガン等の遊戯ガンに対して着脱可能とした赤外線発射装置である。前記筺体３の上部には銃に形成されているレールマウントに係合する一対のレールマウント係合用溝３３が形成されている。【選択図】図６
0003193261.tif 000002
【実用新案登録請求の範囲】
【請求項１】
撃鉄が銃を叩いた瞬間に発生する振動を検知する振動センサと、該振動センサの感知した振動値が予め設定した撃鉄が銃を叩いた瞬間に発生する振動値であるか否かを判定する制御基板と、該制御基板からの発射信号により赤外線を発光する発光ダイオード等の赤外線発光体と、該赤外線発光体よりの赤外線を標的に対して集光するレンズと、前記振動センサと赤外線発光体とを駆動するバッテリーを筐体に収容し、該筐体をエアーガンやモデルガン等の遊戯ガンに対して着脱可能としたことを特徴とする赤外線発射装置。
【請求項２】
前記振動センサは前記筐体に対しスプリングにより押上方向にバネ付勢された揺動板に固定され、該揺動板は前記スプリングのバネ力によって前記遊戯ガンに対して押圧状態となることを特徴とする請求項１記載の赤外線発射装置。
【請求項３】
前記筐体に前記遊戯ガンに設けられているレールマウントと係合するレールマウント係合用溝を形成したことを特徴とする請求項１記載の赤外線発射装置。
【考案の詳細な説明】
【技術分野】
【０００１】
本考案は、銃弾の発射可能な遊戯用エアーガンや、発射機構を持たないモデルガンに取付けて、赤外線光を発光する赤外線銃に変更して遊戯が行える赤外線発射装置に関する。
【背景技術】
【０００２】
近年サバイバルゲームと称し、ＢＢ弾と呼ばれるプラスチック製の弾丸を発射するエアーガンを利用して銃撃戦を擬似的に実施する遊戯ゲームが人気を博している。然しながら、そのサバイバルゲームは実際に弾丸を打ち合う遊戯ゲームであることから、使用するＢＢ弾がプラスチック製であるとはいえその威力は強く、目に被弾した場合には失明する恐れすらある。また、ゲームに参加できる年齢制限も厳しく、誰でもが参加できるものとはなっていない。
【０００３】
また、サバイバルゲームで銃弾による負傷を防止するには、ゴーグルが必需品であり、また、その他の防御プロテクターを身に装って危険を覚悟してゲームに臨んでいた。
【０００４】
そこで、特開２００２−２２８３９５号公報（特許文献１）に示されるように、既存のエアーガンに赤外線発射装置を取付けて、弾丸を発射させることなく赤外線光線銃としてサバイバルゲームが楽しめる装置が開発されている。
勿論、対戦者の体には受光素子を身につけ、赤外線が照射されたことを感知することによって命中の有無を判定する。
【０００５】
なお、実開平７−２７８７号公報（特許文献２）で開示されているように、レーザー光線を発射する光線銃が存在しているが、これは玩具銃自体の内部にレーザー光線発光素子が格納されている構造となっているので、銃自身の外観や質感は本物を玩具化したモデルガンやエアーガンには遠く及ばず、サバイバルゲーム等における本物の銃を使用しているかのような興奮は得られないものであった。
【０００６】
一方、前記した特許文献１に開示されている赤外線発射装置は既存のブローバック式のエアーガンに取付け可能となっていることから、本物を玩具化したエアーガンをそのまま利用できるので、その点において画期的なものとなっている。
【０００７】
然しながら、前記赤外線発射装置の赤外線発射構造は、ブローバック式銃のスライドの動きを検知し、その動作検知信号によって赤外線を発射する方式となっている。
【０００８】
本物のブローバック式銃は、撃鉄が銃を叩き銃弾の火薬が炸裂して弾の発射の反動によって、スライドが後方にブローバックするのであるが、モデルガンの場合には火薬入りの実弾ではないので、ブローバックは必然とは起こらないのである。
【０００９】
そこで、ブローバック式のエアーガンやモデルガンでは、あたかも弾の発射の反動でブローバックしたかのように見せるために、スライドを後方に動作させる機能が組み込まれた構造となっており、前記発明はその機械的に作動するスライドのブローバック動作を感知手段に用いているのである。
【先行技術文献】
【特許文献】
【００１０】
【特許文献１】特開２００２−２２８３９５号公報
【特許文献２】実開平７−２７８７号公報
【考案の概要】
【考案が解決しようとする課題】
【００１１】
ところで、前記した撃鉄が銃を叩き、その後の機械的な動作となるスライドがブローバックする時のスライドの動きを検知した時点では、既に弾は発射された後となっており、実際に弾が発射された時点と赤外線が発射される時点で時間的に大きな隔たりが生じてしまっている。
すなわち、弾が発射された後のスライドの動作によって検知される信号を感知して赤外線が発射されることになるので、その間のタイムラグが生じ、実際に赤外線が発射される時には、銃の反動によって手元の銃が激しく動き、標的に赤外線が的中しないといった問題が発生する。
【００１２】
本考案は前記した問題点を解決せんとするもので、その目的とするところは、赤外線発射装置から発射される赤外線は、撃鉄が銃を叩いた瞬間であることが望ましいので、撃鉄が銃を叩いた瞬間に銃本体に発生する振動を振動センサで検知し、当該検知信号によって赤外線光線を発射する構成とし、赤外線光線発射時点と、実際に弾が発射される時点とを時間的に略一致させるようにしたことにある。
【００１３】
また、実際の銃には、フラッシュライト（夜間に標的に照明を照射させるライト）の取付の為に画一的なサイズでレールマウントが形成されており、エアーガンやモデルガンにも同様にレールマウントが設けられていることに着目し、そのレールマウントを利用して赤外線発射装置を着脱自在に取付け可能とした。
【課題を解決するための手段】
【００１４】
本考案の赤外線発射装置は前記した目的を達成せんとするもので、請求項１の手段は、撃鉄が銃を叩いた瞬間に発生する振動を検知する振動センサと、該振動センサの感知した振動値が予め設定した撃鉄が銃を叩いた瞬間に発生する振動値であるか否かを判定する制御基板と、該制御基板からの発射信号により赤外線を発光する発光ダイオード等の赤外線発光体と、該赤外線発光体よりの赤外線を標的に対して集光するレンズと、前記振動センサと赤外線発光体とを駆動するバッテリーを筐体に収容し、該筐体をエアーガンやモデルガン等の遊戯ガンに対して着脱可能としたことを特徴とする。
【００１５】
請求項２の手段は、前記した請求項１において、前記振動センサは前記筐体に対しスプリングにより押上方向にバネ付勢された揺動板に固定され、該揺動板は前記スプリングのバネ力によって前記遊戯ガンに対して押圧状態となることを特徴とする。
【００１６】
請求項３の手段は、前記した請求項１において、前記筐体に前記遊戯ガンに設けられているレールマウントと係合するレールマウント係合用溝を形成したことを特徴とする。
【考案の効果】
【００１７】
本考案は前記したように、撃鉄が銃を叩いた瞬間に発生する振動によって、赤外線発光体を発光させるので、標的への射撃にタイムラグが発生することがなく、また、撃鉄が銃を叩いた瞬間に発生する固有の振動値以外の振動には反応しない様に制御されているので、銃に加えられる外部からの他の衝撃によって赤外線光線が誤って発射されることもない。
【００１８】
また、振動センサは筐体に対しスプリングにより押上方向にバネ付勢された揺動板に固定され、該揺動板は前記スプリングのバネ力によって前記遊戯ガンに対して押圧状態で接触されているので、撃鉄が銃を叩いた瞬間に発生する振動値を確実に検知できる構成となっている。
【００１９】
さらに、遊戯ガンに設けられているフラッシュライト取付用の溝と嵌り合う係合部を筐体に形成しているので、遊戯ガンに対して筐体を容易に着脱することが可能であるといった効果を有するものである。
【図面の簡単な説明】
【００２０】
【図１】本考案の赤外線発射装置をハンド式エアーガンに形成さているレールマウントに取付け、撃鉄を起こした状態を模式的に示す側面図である。
【図２】図１におけるエアーガンの引金を引いて、撃鉄が銃を叩いた瞬間に発生する振動が振動センサに伝達される状態を模式的に示した側面図である。
【図３】本考案の赤外線発射装置の側面図である。
【図４】同上赤外線発射装置の正面図である。
【図５】同上赤外線発射装置の背面図である。
【図６】図４のＡ−Ａ線断面図である。
【図７】図６の振動センサ部、揺動板部の拡大断面図である。
【考案を実施するための形態】
【００２１】
以下、本考案に係る赤外線発射装置をハンド式エアーガンに取付けた一実施例を模式的に示した図１、図２と共に説明する。
１はハンド式エアーガン等の銃、２は赤外線発射装置にして、銃１には予め赤外線発射装置２を装着するためのレールマウント１ａが形成されている。また、１ｂは引金、１ｃは撃鉄、１ｄはＢＢ弾を圧縮空気や不活性ガスで発射する銃口である。なお、図示した実施例にあっては、ハンド式エアーガンを示したが、ライフル式エアーガンやモデルガンであってもよい。
図２に示すように、エアーガンの引金１ｂを引くと、撃鉄１ｃが銃１を叩き振動を生じさせる（黒丸印）。その振動は矢印に示される如く赤外線発射装置２に格納された振動センサに伝達される。
【００２２】
次に、本考案の赤外線発射装置２の具体例について図３〜図７と共に説明する。なお、以下の実施例で銃１としては、ハンド式エアーガン、ライフル式エアーガンやモデルガンのいずれにあっても良い。
【００２３】
赤外線発射装置２には、電源であるバッテリー２１、赤外線発光ダイオード等の赤外線発光体２２、該赤外線発光体２２は円錐形状のレンズ取付筒２３の小径部２３ａに取付けられると共に第１のレンズ２３ｂが赤外線発光体２２の前面に取付けられている。
【００２４】
また、前記レンズ取付筒２３の大径部２３ｃには第２のレンズ２３ｄが取付けられている。なお、レンズ取付筒２３の大径部２３ｃは、筐体３に形成されている雄ネジ部３１に雌ネジ部２４ａが螺合された回転筒２４に固定されている。なお、２４ｂはレンズ２３ｄを保護する保護フィルター、２４ｃはレンズキャップである。
【００２５】
前記筐体３の後方の支持部３２に揺動板２５が軸支され、該揺動板２５の先端の上面には銃１に当接する突起部２５ａが形成され、かつ、中央部の裏面には振動センサ収納凹部２５ｂが形成されている。
そして、前記揺動板２５における前記銃１に当接する突起部２５ａの裏面には揺動板２５を押し上げるスプリング４が配置され、また、前記振動センサ収納凹部２５ｂ内には振動センサ５が固定されている。
尚、振動センサ５は圧電セラミックスに応力が加わると電荷を発生するという性質を利用した加速度センサであり、種々の製品が市販されている。具体例としては、株式会社村田製作所の商品名「ショックセンサ（品番ＰＫＧＳ−００ＬＤＰＩ−Ｒ）」があげられる。
【００２６】
前記筐体３の上部には銃１に形成されているレールマウント１ａに係合する一対のレールマウント係合用溝３３が形成されている。そして、前記レールマウント係合用溝３３を銃１のレールマウント１ａに嵌め込んだ状態において、突起部２５ａは銃１に当接して、筐体３は銃１のレールマウント１ａによって一体化される。
【００２７】
前記した振動センサ５はリード線５１ａを介して制御基板５１に接続されている。前記制御基板５１は、撃鉄１ｃが銃１を叩いた瞬間に生じる振動値を記憶しており、該振動値と同じ値をもった振動値であるか否かを該制御基板５１が判定し、同じ振動値をもつ振動が検知された時、光線の発射信号を出す。
【００２８】
つまり、撃鉄１ｃが銃１を叩いた瞬間に発生する銃本体の振動は、同一の銃であれば常に同じ振動となる。そこで、使用する銃の前記振動値を制御基板５１で予め検知し記憶し、同じ振動値を持った振動を振動センサ５が検知した場合にのみ赤外線を発射するように制御基板５１はプログラムされているので、銃１に加えられた外部からの他の衝撃によって赤外線が誤って発射されることはない。
【００２９】
図５において、５２は電源スイッチ５３が取付けられた前記制御基板５１と電気的に接続されたスイッチ基板にして、電源スイッチ５３をオンすることで、バッテリー２１よりの電力は制御基板５１に供給される。
【００３０】
図５〜７において、３４はバッテリー蓋、５４は前記電源スイッチ５３をオンにした時に点灯する発光ダイオード等の電源確認ランプ、５５は赤外線発光体２２が点灯して射撃が行なわれた時に点灯する発光ダイオード等の射撃確認ランプである。
【符号の説明】
【００３１】
１      銃
１ａ    レールマウント
１ｂ    引金
１ｃ    撃鉄
１ｄ    銃口
２      赤外線発射装置
２１    バッテリー
２２    赤外線発光体
２３    レンズ取付筒
２３ａ  小径部
２３ｂ  第１のレンズ
２３ｃ  大径部
２３ｄ  第２のレンズ
２４    回転筒
２４ａ  雌ネジ
２４ｂ  保護フィルター
２４ｃ  レンズキャップ
２５    揺動板
２５ａ  突起部
２５ｂ  振動センサ収納凹部
３      筐体
３１    雄ネジ
３２    支持部
３３    レールマウント係合用溝
３４    バッテリー蓋
４      スプリング
５      振動センサ
５１    制御基板
５１ａ  リード線
５２    スイッチ基板
５３    電源スイッチ
５４    電源確認ランプ
５５    射撃確認ランプ
【図１】
0003193261.tif 000003
【図２】
0003193261.tif 000004
【図３】
0003193261.tif 000005
【図４】
0003193261.tif 000006
【図５】
0003193261.tif 000007
【図６】
0003193261.tif 000008
【図７】
0003193261.tif 000009